(57)【特許請求の範囲】
【請求項１】
シート係留め部１１と、その一端に接続した外れ防止凸凹付バンド部１５と、他端に接続したバンド受け部１４からなり、バンド受け部１４に、さし込み穴部１２とロック解除部１３を備え、シート係留め部１１は、両端に内向きに突起１１１を備えたコの字型であり、シート係留め部１１の長さは、シート穴の内枠とシート端間の距離の略２倍であり、バンド受け部１４もしくは外れ防止凸凹付バンド部１５からシート穴に通して、シートと支柱、又はシートどうしを結束するときは、シート係留め部１１のコの字型に、シート穴を嵌めこむことによりシートが抜けにくくしたことを特徴とするシート用結束バンド。
【発明の詳細な説明】
【技術分野】
【０００１】本発明は、シートを結束するバンドに関するものである。
【背景技術】
【０００２】建設足場で仮設用のシートを設置する時には、縦方向の足場支柱や、横方向の足場単管と、シートを、シートに設けた穴にシート紐を通して足場支柱や、横方向の足場単管と結束していた。同じように、２枚のシートも、夫々のシートに設けた穴にシート紐を通して、クロス結び、十字結び、蝶々結びなど、様々な結び方で結束していたが、結び方の強さにより、シワがいったりして、強風のために紐が解けたりしていた。
【先行技術文献】
【特許文献】
【０００３】
【特許文献１】  特開２０１１−２０２７７公報
【発明の概要】
【発明が解決しようとする課題】
【０００４】１）２枚のシートどうし、又は、２枚のシートと足場支柱を紐で結束するときに、結び方により、結束箇所ごとに２枚のシート間の距離が異なり、２枚のシート間に隙間が開いたり、強く結びすぎてしわが入ったりして、シート間を隙間無く一直線状に結束することは難しかった。
２）２枚のシートどうし、又は、２枚のシートと足場支柱を紐で結束するときに、台風などの強風により紐が解けることがしばしばあった。
【課題を解決するための手段】
【０００５】      シート係留め部１１と、その一端に接続した外れ防止凸凹付バンド部１５と、他端に接続したバンド受け部１４からなり、バンド受け部１４に、さし込み穴部１２とロック解除部１３を備え、シート係留め部１１は、両端に内向きに突起１１１を備えたコの字型であり、
バンド受け部１４もしくは外れ防止凸凹付バンド部１５からシート穴に通して、シートと支柱、又はシートどうしを結束するときは、シート係留め部１１のコの字型に、シート穴を嵌めこむことによりシートが抜けにくくしたことを特徴とするシート用結束バンド。【０００６】シート係留め部１１の長さは、シート穴の内枠とシート端間の距離の略２倍にすることにより、２枚のシートを重ねることなく、且つ、隙間無く結束できるようにしたことを特徴とするシート用結束バンド。
【発明の効果】
【０００７】２枚のシートどうしを、シート間が隙間無く一直線状に結束でき、台風などの強風であってもシート用結束バンドが外れにくくなる。
【図面の簡単な説明】
【０００８】
【図１】本発明のシート用結束バンドの構成  （ａ）側面図  （ｂ）平面図  （ｃ）底面図  （ｄ）全体構成
【図２】本発明のシート用結束バンドの使用例
【発明を実施するための形態】
【０００９】図１は本発明のシート用結束バンドの構成である。（ａ）は側面図、（ｂ）は平面図、（ｃ）は底面図、（ｄ）は全体構成を示す。本発明のシート用結束バンド１はシート係留め部１１とその一端に接続した外れ防止凸凹付バンド部１５と他端に接続したバンド受け部１４からなり、バンド受け部１４に、さし込み穴部１２とロック解除部１３を備える。シート係留め部１１は、両端に内向きに突起１１１を備えたコの字型である。
シートには、周囲に紐で結束するためにシート穴を複数も設けている。シートの端とシート穴の距離は、シートの種類により１ｃｍから３ｃｍとさまざまである。
２枚のシートを重ね合わせるため、夫々のシートの端近辺に備えたシート穴にはめ込みし、２枚のシートの夫々のシート穴をシート係留め部１１のコの字型に嵌めることにより、２枚のシート間の距離を均一にし、且つ、シート係留め部１１の両端に内向きに備えた突起１１１によりシートが抜けにくいようにしている。
【００１０】次に本発明のシート用結束バンド１の使用方法を示す。シート用結束バンドのバンド受け部１４もしくは外れ防止凸凹付バンド部１５をシート穴に通して、シート穴をシート係留め部１１にはめ込む。外れ防止凸凹付バンド部１５をさし込み穴部１２に通して外れ防止凸凹付バンド部１５引っ張って結束する。取り外しの時は、ロック解除部１３を、つまみながらロック解除部１３前に押すと外れ防止凸凹付バンド部１５が、ゆるんで取り外しができる。本発明のシート用結束バンド１は、ナイロンなどの樹脂で構成する。
シート係留め部１１の長さは、シート穴の内枠とシート端間の距離の略２倍にすると、２枚のシートを重ねることなく隙間無く結束でき、シート間にずれがなく見栄えがよくなる。
シート穴の内枠とシート端間の距離とは、シート穴が円状のとき、シート穴の円形状（内枠）とシートの端との最短の距離をいう。
【００１０】図２は、本発明のシート用結束バンドの使用例を示す。図２では、建設現場で足場を組んで、３枚のシート（２０，２１，２２）を垂直方向の足場支柱２９、横方向の足場単管２８に結束する場合における本発明のシート用結束バンド１の使用例を示す。
シート２１とシート２２を結束する時（図２のＡ）は、シート用結束バンド１のバンド受け部１４をシート穴２５とシート穴２６に通してシート係留め部１１のコの字型の箇所に嵌め込み、外れ防止凸凹付バンド部１５を、さし込み部１２に通して外れ防止凸凹付バンド部１５を引っ張り結束する。２枚のシート（２２，２３）をシート係留め部１１であるコの字型の中に嵌めることにより、このシート係留め部１１で、シート２２を吊り下げることになり、吊り下げた高さを揃えることができ、シートが抜けにくくなる。
取り外す時はロック解除部１３をつまみながらロック解除部１３を前に押すと外れ防止凸凹付バンド部１５が、ゆるんで取り外しができる。
【００１１】シート２１を足場単管２８に結束する時（図２のＢ）には、シート用結束バンド１バンド受け部１４をシート穴２７に通してシート係留め部１１に嵌め込み、足場単管２８ともに、外れ防止凸凹付バンド部１５を、さし込み部１２に通して防止凸凹付バンド部１５引っ張って結束する。
シート穴は、シート係留め部１１に引掛けてぶら下げるので、抜けにくくなる。
取り外す時にはロック解除部１３を、つまみながらロック解除部１３前に押したら外れ防止凸凹付バンド部１５が、ゆるんで取り外しができる。
【００１２】シート２０とシート２１を結束する時（図２のＣ）は、シート用結束バンド１を使用してバンド受け部１４をシート穴２３とシート穴２４に通してシート係留め部１１に引っかけ、嵌め込む外れ防止凸凹付バンド部１５を単管支柱２９とともに、外れ防止凸凹付バンド部１５を、さし込み部１２に通して外れ防止凸凹付バンド部１５引っ張って結束する。
２枚のシートのシート穴をシート係留め部１１に引掛けるので、２枚のシートの間の距離を均一に、隙間無く設置できる。
取り外す時にはロック解除部１３をつまみながらロック解除部１３を前に押したら外れ防止凸凹付バンド部１５が、ゆるんで取り外しができる。
【産業上の利用可能性】
【００１３】本発明のシート用結束バンドは、仮設シートを複数枚、上下左右に均一に隙間無く張ることが要求される建設現場に利用できる。
【符号の説明】
【００１４】１      シート用結束バンド
１１  シート係留め部
１１１  突起
１２  さし込み穴部
１３  ロック解除部
１４  バンド受け部
１５  外れ防止凸凹付バンド部
２      シート
２０  シート
２１  シート
２２  シート
２３  シート穴
２４  シート穴
２５  シート穴
２６  シート穴
２７  シート穴
２８  足場単管
２９  足場支柱
Ａ  シートどうしを結束する場合
Ｂ  シートを横方向、足場単管に結束する場合
Ｃ  ２枚のシートを垂直方向、足場支柱に結束する場合
【要約】
【課題】２枚のシートどうし、又は、２枚のシートと足場支柱を紐で結束するときに、結び方により、結束箇所ごとに２枚のシート間の距離が異なり、２枚のシート間に隙間が開いたり、強く結びすぎてしわが入ったりして、シート間が隙間無く一直製状に結束することは難しかった。
【解決手段】シート係留め部１１と、その一端に接続した外れ防止凸凹付バンド部１５と、他端に接続したバンド受け部１４からなり、バンド受け部１４に、さし込み穴部１２とロック解除部１３を備え、シート係留め部１１は、両端に内向きに突起１１１を備えたコの字型であり、バンド受け部１４もしくは外れ防止凸凹付バンド部１５からシート穴に通して、シートと支柱、又はシートどうしを結束するときは、シート係留め部１１のコの字型に、シート穴を嵌めこむことによりシートが抜けにくくしたことを特徴とするシート用結束バンド。
【選択図】図１【図１】
0005124796.tif 000002
【図２】
0005124796.tif 000003